(57)【特許請求の範囲】
【請求項１】
第１対向面を有する第１押圧部材と
第２対向面を有する第２押圧部材と、
前記第１対向面と前記第２対向面を対向させた状態で前記第１押圧部材及び前記第２押圧部材をそれぞれ回動可能となるように支持するシャフトと、
前記第１対向面上に取り付けられた第１弾性部材と、
第１接触部を有する第１導体パターンが形成された第１フィルムであって、該第１接触部が前記第１弾性部材上に位置するように、前記第１押圧部材に保持された第１フィルムと、
前記第１弾性部材に対応させるようにして前記第２対向面上に取り付けられた第２弾性部材と、
第２接触部を有する第２導体パターンが形成された第２フィルムであって、該第２接触部が前記第１接触部と対向し且つ前記第２弾性部材上に位置するように、前記第２押圧部材に保持された第２フィルムと
を備えており、
前記シャフトを軸として前記第１押圧部材と前記第２押圧部材をそれぞれ回動させ、前記第１接触部と前記第２接触部で相手方コネクタを挟んだ状態で、前記第１接触部と前記第２接触部との間の距離を更に縮めることにより、前記第１弾性部材と前記第２弾性部材とを変形させ、変形した前記第１弾性部材と前記第２弾性部材の復元力を利用して、前記第１接触部及び前記第２接触部と該相手方コネクタとの接触を図るコネクタ装置であって、
前記第１押圧部材は、前記第１対向面を有する第１板状主部と、該第１板状主部の両端から前記第２対向面に向かって突出した２つの第１耳部とを備えており、
該第１耳部のそれぞれには第１孔部が形成されており、
前記第２押圧部材は、前記第２対向面を有する第２板状主部と、該第２板状主部の両端から前記第１対向面に向かって突出した２つの第２耳部とを備えており、
該第２耳部のそれぞれには第２孔部が形成されており、
前記シャフトは、前記第１孔部及び前記第２孔部に挿通されている
コネクタ装置。
【請求項２】
前記第１導体パターンに接続された第１コネクタ部材と前記第２導体パターンに接続された第２コネクタ部材を更に備えており、
前記第１押圧部材は、前記シャフトの軸方向と直交する第１径方向において前記第１耳部を挟むようにして位置する第１上側縁部及び第１下側縁部を有しており、前記第１上側縁部の近傍には前記第１コネクタ部材が設けられ、前記第１下側縁部の近傍には前記第１弾性部材が設けられており、
前記第２押圧部材は、前記軸方向と直交する第２径方向において前記第２耳部を挟むようにして位置する第２上側縁部及び第２下側縁部を有しており、前記第２上側縁部の近傍には前記第２コネクタ部材が設けられ、前記第２下側縁部の近傍には前記第２弾性部材が設けられている、
請求項１記載のコネクタ装置。
【請求項３】
略クランク軸形状の被保持部及び該被保持部と連続した操作部を有するレバーを更に備えており、
前記第１押圧部材には、第１長孔が設けられており、
該第１長孔は、前記第１孔部と前記第１上側縁部との間に位置しており、
前記第２押圧部材には、第２長孔が設けられており、
該第２長孔は、前記第２孔部と前記第２上側縁部との間に位置しており、
前記被保持部は、前記第１長孔及び前記第２長孔に挿通され、保持されている
請求項１又は請求項２記載のコネクタ装置。
【請求項４】
前記第２耳部は、いずれも、前記シャフトの軸方向において前記２つの第１耳部の間に位置しており、
前記第１長孔は、前記第１耳部に形成されており、
前記第２長孔は、前記第２耳部に形成されており、
前記被保持部は、クランクジャーナルに相当する第１部位と、該第１部位から延びるクランクアームに相当する第２部位と、該第２部位により前記第１部位と接続されるクランクピンに相当する第３部位とを有しており、
前記第１長孔は、前記第１部位を回動可能に保持しており、
前記第２長孔は、前記第３部位を摺動可能に保持している
請求項３記載のコネクタ装置。
【請求項５】
前記第１弾性部材及び前記第２弾性部材を変形させつつ前記第１接触部及び前記第２接触部と前記相手方コネクタを接触させた状態で、前記第１押圧部材及び前記第２押圧部材の位置関係をロックするロック手段を更に備えている、請求項１乃至請求項４のいずれかに記載のコネクタ装置。
【発明の詳細な説明】
【技術分野】
【０００１】
本発明は、プラグコネクタのような相手方コネクタをゼロ挿抜力で挿抜可能なコネクタ装置に関する。
【背景技術】
【０００２】
この種のコネクタ装置としては、例えば、特許文献１及び特許文献２に開示されたものがある。特許文献１及び特許文献２に開示されたコネクタ装置は、いずれも複数ペアの金属製のコンタクトを有し且つペアとなっているコンタクト間を開くためのカム機構を備えたものであり、カム機構を操作して開いたコンタクト間に相手方コネクタのような接続被対象物を挿入し、その後、カム機構を再び操作することによりコンタクトのバネ性を利用して、挿入された相手方コネクタを挟持するものである。
【０００３】
【特許文献１】特開２００３−１４２２１５号公報
【特許文献２】特開２００５−１２９４７０号公報
【発明の開示】
【発明が解決しようとする課題】
【０００４】
通常、金属性のコンタクトのバネ性を利用する場合に安定した電気的接続を得るためには、３０ｇ／芯以上の接圧が必要となる。
【０００５】
コンタクトと相手方コンタクトの有する相手方コンタクトとの接圧を大きくすると、コンタクトを保持する筐体等にかかる反力も大きくなる。大きな反力に対応するためには、筐体等の強度を高めなければならず、その結果、筐体等の構造の大型化を招くこととなり、コスト面及びスペース面において不利となる。
【０００６】
そこで、本発明は、接圧による反力を抑えつつ、相手方コネクタを挿抜力ゼロで挿抜可能なコネクタ装置を提供することを目的とする。
【課題を解決するための手段】
【０００７】
本発明によれば、第１のコネクタ装置として、
第１対向面を有する第１押圧部材と
第２対向面を有する第２押圧部材と、
前記第１対向面と前記第２対向面を対向させた状態で前記第１押圧部材及び前記第２押圧部材をそれぞれ回動可能となるように支持するシャフトと、
前記第１対向面上に取り付けられた第１弾性部材と、
第１接触部を有する第１導体パターンが形成された第１フィルムであって、該第１接触部が前記第１弾性部材上に位置するように、前記第１押圧部材に保持された第１フィルムと、
前記第１弾性部材に対応させるようにして前記第２対向面上に取り付けられた第２弾性部材と、
第２接触部を有する第２導体パターンが形成された第２フィルムであって、該第２接触部が前記第１接触部と対向し且つ前記第２弾性部材上に位置するように、前記第２押圧部材に保持された第２フィルムと
を備えており、
前記シャフトを軸として前記第１押圧部材と前記第２押圧部材をそれぞれ回動させ、前記第１接触部と前記第２接触部で相手方コネクタを挟んだ状態で、前記第１接触部と前記第２接触部との間の距離を更に縮めることにより、前記第１弾性部材と前記第２弾性部材とを変形させ、変形した前記第１弾性部材と前記第２弾性部材の復元力を利用して、前記第１接触部及び前記第２接触部と該相手方コネクタとの接触を図るコネクタ装置が得られる。
【０００８】
また、本発明によれば、第２のコネクタ装置として、第１のコネクタ装置において、前記第１弾性部材及び前記第２弾性部材はいずれも絶縁性弾性体からなる、コネクタ装置が得られる。
【０００９】
また、本発明によれば、第３のコネクタ装置として、第１又は第２のコネクタ装置において、
前記第１弾性部材は前記第１対向面上に固定されており、
前記第２弾性部材は前記第２対向面上に固定されている、
コネクタ装置が得られる。
【００１０】
また、本発明によれば、第４のコネクタ装置として、第１乃至第３のコネクタ装置のいずれかにおいて、
前記第１押圧部材は、前記第１対向面を有する第１板状主部と、該第１板状主部の両端から前記第２対向面に向かって突出した２つの第１耳部とを備えており、
該第１耳部のそれぞれには第１孔部が形成されており、
前記第２押圧部材は、前記第２対向面を有する第２板状主部と、該第２板状主部の両端から前記第１対向面に向かって突出した２つの第２耳部とを備えており、
該第２耳部のそれぞれには第２孔部が形成されており、
前記シャフトは、前記第１孔部及び前記第２孔部に挿通されている
コネクタ装置が得られる。
【００１１】
また、本発明によれば、第５のコネクタ装置として、第４のコネクタ装置において、
前記第１導体パターンに接続された第１コネクタ部材と前記第２導体パターンに接続された第２コネクタ部材を更に備えており、
前記第１押圧部材は、前記シャフトの軸方向と直交する第１径方向において前記第１耳部を挟むようにして位置する第１上側縁部及び第１下側縁部を有しており、前記第１上側縁部の近傍には前記第１コネクタ部材が設けられ、前記第１下側縁部の近傍には前記第１弾性部材が設けられており、
前記第２押圧部材は、前記軸方向と直交する第２径方向において前記第２耳部を挟むようにして位置する第２上側縁部及び第２下側縁部を有しており、前記第２上側縁部の近傍には前記第２コネクタ部材が設けられ、前記第２下側縁部の近傍には前記第２弾性部材が設けられている、
コネクタ装置が得られる。
【００１２】
また、本発明によれば、第６のコネクタ装置として、第５のコネクタ装置において、
前記第１コネクタ部材及び前記第２コネクタ部材は、ケーブルコネクタ、ＦＰＣ（Ｆｌｅｘｉｂｌｅ  Ｐｒｉｎｔｅｄ  Ｃｉｒｃｕｉｔ）コネクタ、ＦＦＣ（Ｆｌｅｘｉｂｌｅ  Ｆｌａｔ  Ｃａｂｌｅ）コネクタのいずれかである、
コネクタ装置が得られる。
【００１３】
また、本発明によれば、第７のコネクタ装置として、第４乃至第６のコネクタ装置のいずれかにおいて、
略クランク軸形状の被保持部及び該被保持部と連続した操作部を有するレバーを更に備えており、
前記第１押圧部材には、第１長孔が設けられており、
該第１長孔は、前記第１孔部と前記第１上側縁部との間に位置しており、
前記第２押圧部材には、第２長孔が設けられており、
該第２長孔は、前記第２孔部と前記第２上側縁部との間に位置しており、
前記被保持部は、前記第１長孔及び前記第２長孔に挿通され、保持されている
コネクタ装置が得られる。
【００１４】
また、本発明によれば、第８のコネクタ装置として、第７のコネクタ装置において、
前記第２耳部は、いずれも、前記シャフトの軸方向において前記２つの第１耳部の間に位置しており、
前記第１長孔は、前記第１耳部に形成されており、
前記第２長孔は、前記第２耳部に形成されており、
前記被保持部は、クランクジャーナルに相当する第１部位と、該第１部位から延びるクランクアームに相当する第２部位と、該第２部位により前記第１部位と接続されるクランクピンに相当する第３部位とを有しており、
前記第１長孔は、前記第１部位を回動可能に保持しており、
前記第２長孔は、前記第３部位を摺動可能に保持している
コネクタ装置が得られる。
【００１５】
また、本発明によれば、第９のコネクタ装置として、第１乃至第８のコネクタ装置のいずれかにおいて、
前記第１弾性部材及び前記第２弾性部材を変形させつつ前記第１接触部及び前記第２接触部と前記相手方コネクタを接触させた状態で、前記第１押圧部材及び前記第２押圧部材の位置関係をロックするロック手段を更に備えている、コネクタ装置が得られる。
【００１６】
また、本発明によれば、第１０のコネクタ装置として、
略板状の第１押圧部材及び第２押圧部材と、
前記第１押圧部材及び前記第２押圧部材を洗濯ばさみ状に可動するようにそれぞれ回動支持するシャフトと、
前記第１押圧部材及び前記第２押圧部材の相手方コネクタを挟む側の端部近傍にそれぞれ配置された第１弾性部材及び第２弾性部材と、
第１接触部を有する第１導体パターンが形成された第１フィルムであって、該第１接触部が前記第１弾性部材上に位置するように、前記第１押圧部材に保持された第１フィルムと、
第２接触部を有する第２導体パターンが形成された第２フィルムであって、該第２接触部が前記第１接触部と対向し且つ前記第２弾性部材上に位置するように、前記第２押圧部材に保持された第２フィルムと
を備えており、
前記シャフトを軸として前記第１押圧部材と前記第２押圧部材をそれぞれ回動させ、前記第１接触部と前記第２接触部で前記相手方コネクタを挟んだ状態で、前記第１接触部と前記第２接触部との間の距離を更に縮めることにより、前記第１弾性部材と前記第２弾性部材を変形させ、変形した前記第１弾性部材と前記第２弾性部材の復元力を利用して、前記第１接触部及び前記第２接触部と該相手方コネクタとの接触を図るコネクタ装置が得られる。
【発明の効果】
【００１７】
本発明によるコネクタ装置では、金属製のバネコンタクトに代えて、第１及び第２導体パターンがそれぞれ形成された第１及び第２フィルム並びに第１及び第２弾性部材を用いることとし、金属性のバネコンタクトの役割のうち電気的接続を図ることについては第１及び第２導体パターンを利用することとし、接圧を確保することについては第１及び第２弾性部材の弾性力を利用することとしたため、安定した電気的接続に必要とされる接圧を下げることができる。
【００１８】
加えて、フィルム上に形成される導体パターンの一部を端子（コンタクト）としたことから、複数のコンタクトを一体化することができ部品点数を大幅に減らすことができると共に、端子の狭ピッチ化を容易に図ることができる。
【００１９】
更には、相手方コネクタ等の接続対象の変更に伴い変更すべき部品は第１及び第２フィルム（より詳しくは第１及び第２導体パターン）などであり、第１押圧部材及び第２押圧部材、シャフト、並びに第１弾性部材及び第２弾性部材は、様々な接続対象に対して共通に使用可能であり、安価にできる。
【発明を実施するための最良の形態】
【００２０】
以下、本発明の実施の形態によるコネクタ装置について、図１乃至図６を参照して、詳細に説明する。
【００２１】
図１に示されるように、本実施の形態におけるコネクタ装置２００は、プラグコネクタである相手方コネクタ１００を挿抜力ゼロで挿抜可能な装置である。なお、相手方コネクタ１００は、長手方向両端に凸部１１１を有する相手方ハウジング１１０と、相手方ハウジング１１０に保持された相手方コンタクト１２０を備えている。
【００２２】
図２及び図３に示されるように、本実施の形態におけるコネクタ装置２００は、略板状の第１押圧部材３１０及び第２押圧部材３２０と、第１押圧部材３１０及び第２押圧部材３２０を洗濯ばさみ状に可動するようにそれぞれ回動支持するシャフト４００と、第１押圧部材３１０及び第２押圧部材３２０の相手方コネクタ１００を挟む側の端部近傍にそれぞれ配置された第１弾性部材５１０及び第２弾性部材５２０と、第１接触部６１１を有する第１導体パターンが形成された第１フィルム６１０と、第２接触部６２１を有する第２導体パターンが形成された第２フィルム６２０と、第１フィルムの第１導体パターンに接続された第１コネクタ部材７１０と、第２フィルムの第２導体パターンに接続された第２コネクタ部材７２０と、第１押圧部材３１０及び第２押圧部材３２０の開閉を操作するためのレバー８００と、第１押圧部材３１０及び第２押圧部材３２０を閉じた状態でロックするためのロック部材９１０を備えている。以下の説明においては、シャフト４００の延びる方向を軸方向という。
【００２３】
図２に示されるように、第１押圧部材３１０は、第１対向面３１１ａを有する第１板状主部３１１と、第１板状主部３１１の両端から第２押圧部材３２０に向かって突出した２つの第１耳部３１２を備えている。第１耳部３１２のそれぞれは、第１押圧部材３１０の上側の縁部（「第１上側縁部３１０ａ」という）と下側の縁部（「第１下側縁部３１０ｂ」という）に挟まれた位置に設けられている。第１耳部３１２の軸方向内側には、収容凹部３１２ａが形成されている。第１耳部３１２のそれぞれには、第１孔部３１３及び第１長孔３１４が形成されている。このうち、第１長孔３１４は、第１孔部３１３と第１上側縁部３１０ａとの間に位置しており、上下方向に長手を有するような略楕円形状（又は競技用トラック形状や長方形等の形状でも良い。）を有している。第１対向面３１１ａ上における第１上側縁部３１０ａの近傍には、第１コネクタ部材７１０を搭載するためのコネクタ部材搭載エリア３１１ｂが形成されている。一方、第１下側縁部３１０ｂの近傍には第１弾性部材５１０が設けられる。第１押圧部材３１０の第１下側縁部３１０ｂ近傍であって第１対向面３１１ａの裏側には、ロック部材９１０の一部（後述）を収容する凹部３１５が形成されている。凹部３１５には、第１下側縁部３１０ｂと連通する孔３１５ａが形成されている。また、第１押圧部材３１０には、第１下側縁部３１０ｂ近傍から、第２押圧部材３２０に向かって突出した規制部３１６が設けられている。
【００２４】
図２及び図３から理解されるように、第２押圧部材３２０は、第２対向面３２１ａを有する第２板状主部３２１と、第２板状主部３２１の両端から第１押圧部材３１０に向かって突出した２つの第２耳部３２２を備えている。第２耳部３２２のそれぞれは、第２押圧部材３２０の上側の縁部（「第２上側縁部３２０ａ」という）と下側の縁部（「第２下側縁部３２０ｂ」という）に挟まれた位置に設けられている。本実施の形態における第２耳部３２２は、いずれも、軸方向において２つの第１耳部３１２の間に位置している。即ち、図１及び図２から理解されるように、コネクタ装置２００が組み立てられた状態において、軸方向に沿って、第１耳部３１２、２つの第２耳部３２２、第１耳部３１２の順に並んでいる。図２から理解されるように、第２耳部３２２のそれぞれには、第２孔部３２３及び第２長孔３２４が形成されている。このうち、第２長孔３２４は、第２孔部３２２と第２上側縁部３２０ａとの間に位置しており、上下方向に長手を有するような略楕円形状（又は競技用トラック形状や長方形等の形状でも良い。）を有している。第２対向面３１１ａ上における第２上側縁部３２０ａの近傍には、第２コネクタ部材７２０を搭載するためのコネクタ部材搭載エリア３２１ｂが形成されている。一方、第２下側縁部３２０ｂの近傍であって第１弾性部材５１０に対応する位置には第２弾性部材５２０が設けられる。第２押圧部材３２０の第２下側縁部３２０ｂ近傍であって第２対向面３２１ａの裏側には、ロック部材９１０の一部（後述）を係止する係止凹部３２５が形成されている。また、第２押圧部材３２０には、第２下側縁部３１０ｂ近傍から、第１押圧部材３１０に向かって突出した規制部３２６が設けられている。この規制部３２６は、第１押圧部材３１０に設けられた規制部３１６と共に、コネクタ装置２００に対して相手方コネクタ１００が嵌合された状態において相手方ハウジング１１０の凸部１１１を受けるように構成されている。即ち、規制部３１６及び３２６は、嵌合状態にあるコネクタ装置２００と相手方コネクタ１００の抜去方向への相対的な移動を規制する手段として機能する。
【００２５】
図１乃至図３から理解されるように、シャフト４００は、第１対向面３１１ａと第２対向面３２１ａを対向させた状態で、第１孔部３１３及び第２孔部３２３に挿通されており、それによって、前述したように、第１押圧部材３１０及び第２押圧部材３２０をそれぞれ回動支持している。
【００２６】
本実施の形態における第１弾性部材５１０及び第２弾性部材５２０は、いずれも絶縁性弾性体、具体的には、軸方向に伸びる棒状の弾性体ブロックからなるものである。詳しくは、本実施の形態による第１弾性部材５１０及び第２弾性部材５２０は、シリコーンゴムやゲルなどの粘弾性を有する粘弾性体からなる。本実施の形態における第１弾性部材５１０及び第２弾性部材５２０は、第１対向面３１１ａ及び第２対向面３２１ａのそれぞれの面上に接着剤を用いて固定されている。
【００２７】
第１フィルム６１０上の第１接触部６１１を有する第１導体パターンや第２フィルム６２０上の第２接触部６２１を有する第２導体パターンは、フォトリソグラフィ及びエッチングを利用して形成されたものであり、一般的な金属製のコンタクトと比較して、容易に微細化することが可能であるため、狭ピッチ化が容易となる。第１フィルム６１０は、第１接触部６１１が第１弾性部材５１０上に位置するように、第１押圧部材３１０及び第１弾性部材５１０に接着剤を用いて固定されている。同様に、第２フィルムは、第２接触部６２１が第１接触部６１１と対向し且つ第２弾性部材５２０上に位置するように、第２押圧部材３２０及び第２弾性部材５２０に接着剤を用いて固定されている。
【００２８】
本実施の形態における第１コネクタ部材７１０及び第２コネクタ部材７２０は、ＦＰＣ（Ｆｌｅｘｉｂｌｅ  Ｐｒｉｎｔｅｄ  Ｃｉｒｃｕｉｔ）コネクタである。これらのコネクタ部材７１０，７２０は、他のＩ／Ｏコネクタ、例えば、ケーブルコネクタやＦＦＣ（Ｆｌｅｘｉｂｌｅ  Ｆｌａｔ  Ｃａｂｌｅ）コネクタであってもよい。
【００２９】
図２に示されるように、本実施の形態によるレバー８００は、略クランク軸形状の被保持部８１０と、被保持部８１０と連続した操作部８２０を有している。詳しくは、レバー８００の被保持部８１０は、第１部位８１１と、第１部位８１１から延びる第２部位８１２と、第２部位８１２により第１部位８１１と接続される第３部位８１３とを有している。第１部位８１１はクランク軸におけるクランクジャーナルに相当する部位であり、第２部位８１２はクランク軸におけるクランクアームに相当する部位である。また、第３部位８１３は、クランク軸におけるクランクピンに相当する部位である。このうち、第１部位８１１の一方は、操作部８２０に接続されている。なお、本実施の形態においては、操作部８２０の長手方向と第２部位８１２の延びる方向とは一致している。被保持部８１０が第１長孔３１４及び第２長孔３２４に挿通され、それにより、第１部位８１１は第１長孔３１４に回動可能に保持され、第３部位８１３は第２長孔３２４に摺動可能に保持されている。なお、初期状態（操作部８２０が降りている状態）において、第１部位８１１は第３部位８１３よりも上方に位置している。
【００３０】
ロック部材９１０は、一端に係止用のフック９１１を備えるものであり、他端を第１押圧部材３１０の凹部３１５に挿入され且つ孔３１５ａを通したピン９２０により軸支されている。これにより、ロック部材９１０は、ピン９２０を軸として回動可能となる。かかるロック部材９１０のフック９１１を第２押圧部材３２０に形成された係止凹部３２５に係止することにより、第１押圧部材３１０と第２押圧部材３２０を閉じた状態にロックすることができる。
【００３１】
以上説明した構成を備えるコネクタ装置２００に対する相手方コネクタ１００の挿抜動作について図３乃至図６を用いて説明する。なお、図３及び図６においては、相手方コネクタ１００の搭載される基板１５０、並びに、第１コネクタ部材７１０及び第２コネクタ部材７２０にそれぞれ接続されるＦＰＣ７１５，７２５も図示されている。また、図３及び図６においては、動作理解を容易にするため、レバー８００についての断面を省略している。
【００３２】
まず、図３及び図４に示されるように、ロック部材９１０のフック９１１を第２押圧部材３２０の係止凹部３２５から外した上で、操作部８２０を反時計回りに９０度回転させることにより、第２耳部３２２の第２長孔３２４を第２孔部３２３よりも、第１押圧部材３１０側に移動させることができる。この際、図２及び図４から理解されるように、第２押圧部材３２０の第２耳部３２２は、第１押圧部材３１０の第１耳部３１２の内側に形成された収容凹部３１２ａに少なくとも部分的に収容される。従って、図３及び図４に示されるように、第１上側縁部３１０ａと第２上側縁部３２０ａとの距離を初期状態（例えば、図１の状態）よりも縮めることができる。第１上側縁部３１０ａと第２上側縁部３２０ａとの距離を縮めると、その作用として、第１下側縁部３１０ｂと第２下側縁部３２０ｂとの距離を離すことができる。本実施の形態によれば、このようにして、第１押圧部材３１０と第２押圧部材３２０の夫々の下側縁部側を開き、相手方コネクタ１００をコネクタ装置２００内に挿入力ゼロで挿入することができる。
【００３３】
相手方コネクタ１００をコネクタ装置２００内に挿入した後、操作部８２０を時計回りに９０度回転させて元の位置に戻すと、第１弾性部材３１０及び第２弾性部材３２０を変形させつつ第１接触部６１１及び第２接触部６２１と相手方コネクタ１００の相手方コンタクト１２０を接触させることができる。この状態で、ロック部材９１０のフック９１１を係止凹部３２５に係止させることにより、第１押圧部材３１０及び第２押圧部材３２０の位置関係をロックすると、変形した第１弾性部材５１０と第２弾性部材５２０の復元力を利用して、安定した電気的接続に必要とされる接圧を下げつつ、第１接触部６１１及び第２接触部６２１と相手方コネクタ１００の相手方コンタクト１２０との良好な接触を図ることができる。具体的には、金属性のコンタクトの場合、３０ｇ／芯以上の接圧が必要であったが、本実施の形態では、それを３ｇ／芯程度に下げることが可能となる。
【００３４】
上述した実施の形態においては、第１押圧部材３１０と第２押圧部材３２０との開閉を操作するための手段としてレバー８００を用いていたが、図７に示されるように、シャフト４００にトーションバネ８５０を取り付ける、及び／又は、第１押圧部材３１０の第１上側縁部３１０ａ近傍と第２押圧部材の第２上側縁部３２０ａ近傍との間にコイルバネ８６０を取り付けるなどして、第１押圧部材３１０と第２押圧部材３２０との開閉を補助することとしてもよい。また、レバー８００や、トーションバネ８５０及びコイルバネ８６０などを用いずに、第１押圧部材３１０と第２押圧部材３２０との開閉を完全手動で行うこととしてもよい。
【００３５】
更に、上述した実施の形態においては、相手方コネクタが金属製のコンタクトを備えているものとして説明してきたが、相手方コネクタのコンタクト部分も導体パターンの形成されたフィルムと弾性体ブロックで構成することとしてもよい。
【図面の簡単な説明】
【００３６】
【図１】本発明の実施の形態によるコネクタ装置と相手方コネクタを示す斜視図である。
【図２】図１のコネクタ装置を示す分解斜視図である。
【図３】図１のコネクタ装置と相手方コネクタを模式的に示す断面図である。
【図４】図１のコネクタ装置に対して相手方コネクタを挿入する際の操作を説明するための斜視図である。
【図５】図１のコネクタ装置に対して相手方コネクタを挿入する際の操作を説明するための他の斜視図である。
【図６】図５のコネクタ装置と相手方コネクタを模式的に示す断面図である。
【図７】図１のコネクタ装置についての変形例を示す斜視図である。
【符号の説明】
【００３７】
１００        相手方コネクタ
１１０        相手方ハウジング
１１１        凸部
１２０        相手方コンタクト
２００        コネクタ装置
３１０        第１押圧部材
３１０ａ      第１上側縁部
３１０ｂ      第１下側縁部
３１１        第１板状主部
３１１ａ      第１対向面
３１１ｂ      コネクタ部材搭載エリア
３１２        第１耳部
３１２ａ      収容凹部
３１３        第１孔部
３１４        第１長孔
３１５        凹部
３１６        規制部
３２０        第２押圧部材
３２０ａ      第２上側縁部
３２０ｂ      第２下側縁部
３２１        第２板状主部
３２１ａ      第２対向面
３２１ｂ      コネクタ部材搭載エリア
３２２        第２耳部
３２３        第２孔部
３２４        第２長孔
３２５        係止凹部
３２６        規制部
４００        シャフト
５１０        第１弾性部材
５２０        第２弾性部材
６１０        第１フィルム
６１１        第１接触部
６２０        第２フィルム
６２１        第２接触部
７１０        第１コネクタ部材
７２０        第２コネクタ部材
８００        レバー
８１０        被保持部
８１１        第１部位
８１２        第２部位
８１３        第３部位
８２０        操作部
８５０        トーションバネ
８６０        コイルバネ
９１０        ロック部材
９１１        フック
９２０        ピン
【図１】
0004908374.tif 000002
【図２】
0004908374.tif 000003
【図３】
0004908374.tif 000004
【図４】
0004908374.tif 000005
【図５】
0004908374.tif 000006
【図６】
0004908374.tif 000007
【図７】
0004908374.tif 000008